(57)【要約】【課題】毛束が消耗し又は劣化したときにホルダを交換することなく、毛束だけを交換できるとともに、長期間安定してブラシ加工を行うことが可能な筒型ブラシを提供する。【解決手段】筒型ブラシ１０は、多数本の毛材からなる毛束１１を有するブラシヘッド１３と、ブラシヘッドを着脱可能に支持するホルダ１５と、からなり、ブラシヘッド１３は、毛束１１を中間位置で折り返した折り返し部側を緊締する筒部１９を備え、ホルダ１５は、筒部１９を外側から着脱可能に支持する支持部２１と、ブラシ駆動装置に連結する駆動連結部２３と、を備える。ホルダの固定部２７は固定ビス２９を備え、筒部１９の外面に設けた固定ビス２９係止用の凹部１９ｃに固定ビス２９を着脱可能に加圧固定する。【選択図】図１
2019136371.tif 000002
【特許請求の範囲】
【請求項１】
多数本の毛材からなる毛束を有するブラシヘッドと、このブラシヘッドを着脱可能に支持するホルダと、からなり、
前記ブラシヘッドは、前記毛束を中間位置で折り返して一端部と他端部とを同じ側に配置した折り返し部と、この毛束の折り返し部側を緊締する筒部と、を備え、
前記ホルダは、前記筒部を外側から着脱可能に支持する支持部と、ブラシ駆動装置に連結する駆動連結部と、を備えている、筒型ブラシ。
【請求項２】
前記ブラシヘッドは、前記毛束の中間部を結束する結束部を備えている、請求項１に記載の筒型ブラシ。
【請求項３】
前記筒部は複数の外面を有する略多角形筒で成り、前記ホルダは該略多角形筒の複数の外面をそれぞれ固定する複数の固定部を有している、請求項１に記載の筒型ブラシ。
【請求項４】
前記ホルダの前記固定部は固定ビスを備え、前記略多角形筒の複数の外面には前記固定ビスを係止する凹部が設けられ、該凹部に前記固定ビスを加圧固定する、請求項３に記載の筒型ブラシ。
【発明の詳細な説明】
【技術分野】
【０００１】
本発明は、多数本の毛材からなる毛束を取り替え可能にホルダに固定した筒型ブラシに関する。
【背景技術】
【０００２】
従来、多数本の毛材からなる毛束がホルダに固定された筒型ブラシが種々の分野で使用されている。
筒型ブラシは、例えば下記特許文献１に記載されているように、ホルダの筒部分に毛束の一端側が収容されて固定されている。このような筒型ブラシでは、毛束をホルダの筒部分に固定するには、毛束を構成する多数の毛材が個々に抜け落ちることを確実に防止しなければならず、かしめ、接着、締結などにより、毛束をホルダに強固に固定して毛材の抜けを防止していた。
【発明の概要】
【発明が解決しようとする課題】
【０００３】
しかしながら、従来の筒型ブラシでは、使用により毛束が劣化したりすり減ったりして新たな筒型ブラシに交換する際、ホルダの筒部分に毛束が強固に固定されているため、筒型ブラシ全体をホルダごと交換しなければならなかった。
【０００４】
そこで本発明は、毛束が消耗し又は劣化したときにホルダを交換することなく、毛束だけを交換できるとともに、長期間安定してブラシ加工を行うことが可能な筒型ブラシを提供することを目的とする。
【課題を解決するための手段】
【０００５】
上記目的を達成する本発明の筒型ブラシは、多数本の毛材からなる毛束を有するブラシヘッドと、このブラシヘッドを着脱可能に支持するホルダと、からなり、前記ブラシヘッドは、毛束を中間位置で折り返して一端部と他端部とを同じ側に並べた折り返し部と、この毛束の折り返し部側を結束などにより緊締する筒部と、を備え、前記ホルダは、前記筒部を外側から着脱可能に支持する支持部と、ブラシ駆動装置に連結する駆動連結部と、を備えていることを特徴とする。
【発明の効果】
【０００６】
本発明の筒型ブラシによれば、ブラシヘッドがホルダに対して着脱可能に支持されているので、ブラシヘッドの毛束が消耗や劣化した場合は、ホルダからブラシヘッドを取り外し、このブラシヘッド部分だけを取り替えることができる。そのため、ホルダを交換する必要がなく、消耗又は劣化したブラシヘッドを交換するだけでよく、筒型ブラシを長期間継続使用することができる。
【０００７】
毛束が中間位置において、好ましくは折り返し部で結束部により緊締されていれば、毛束の個々の毛材が抜け落ちることを確実に防止できる。そして、毛束の折り返し部側を筒部に緊締すると共に、その筒部をホルダの支持部で固定して支持するように構成しているので、毛束を直接ホルダに固定しなくても、毛束をしっかりとホルダに装着することができ、ホルダをブラシ駆動装置の駆動連結部に連結することで、ブラシ駆動装置の駆動により安定したブラシ加工を実現できる。
【０００８】
その結果、毛束が消耗又は劣化等したときにホルダごと交換する必要がなく、ホルダを外してブラシヘッドだけを交換すればよく、長期間安定してブラシ加工を行うことが可能な筒型ブラシを提供することができる。
【図面の簡単な説明】
【０００９】
【図１】本発明の実施形態における筒型ブラシの斜視図である。
【図２】本発明の実施形態の筒型ブラシにおけるブラシヘッドの側面図である。
【図３】本発明の実施形態の筒型ブラシにおけるブラシヘッドの平面図である。
【図４】本発明の実施形態の筒型ブラシにおけるブラシヘッドに用いる毛束の部分正面図である。
【図５】本発明の実施形態の筒型ブラシにおけるブラシヘッドに用いる筒部の斜視図である。
【図６】本発明の実施形態の筒型ブラシにおけるホルダの断面図である。
【図７】本発明の実施形態の筒型ブラシにおけるホルダの底面図である。
【発明を実施するための形態】
【００１０】
以下、本発明の実施形態について図を用いて説明する。
図１に示すように、本実施形態の筒型ブラシ１０は、多数本の毛材１１ａからなる毛束１１を有するブラシヘッド１３と、このブラシヘッド１３を着脱可能に支持するホルダ１５と、を備えている。
【００１１】
ブラシヘッド１３は、図２及び図３に示すように、毛束１１と、この毛束１１を長手方向の中間位置で結束する結束部１７と、毛束１１を折り曲げて固定する筒部１９と、を有している。
【００１２】
毛束１１を構成する多数の毛材１１ａは、ブラシの用途により適宜選択できる。この実施形態では、長手方向に対して波形のウエーブが全長に設けられた金属線材を使用している。
毛材１１ａを多数同じ方向に揃えて束ねることで毛束１１が構成されており、図４に示すように、長手方向の中間位置で結束部１７により１つの束として束ねられている。
結束部１７は、折り曲げられた毛束１１を確実に保持できる部材であればよく、本実施形態では、金属製の結束リングを使用している。
【００１３】
毛束１１は、中間位置で折り返して一端部と他端部とを同じ側に配置した折り返し部として形成されている。具体的には、毛束１１は結束部１７付近で略１８０度の反転方向に折り曲げられている。これにより結束部１７に対して一方側に配置される一端部１１αと、他方側に配置される他端部１１βと、が同じ側となるように配置されている。
この毛束１１は折り返し部側で筒部１９により緊締されている。具体的には、毛束１１は結束部１７の両側における結束部１７近傍の位置で、図５に示すような筒部１９により外側から囲んで固定されている。これにより毛束１１の結束部１７より一端部１１αと他端部１１βとが同じ側に、筒部１９から露出した状態で配置されている。
【００１４】
毛束１１は長手方向に対して折り曲げることで反転させた状態でも、毛束１１の曲げに対する弾性力により、結束部１７近傍では、結束部１７の一方側の毛材１１ａと他方側の毛材１１ａとは接触せずに離間している。
筒部１９は毛束１１の弾性に抗して、毛束１１の結束部１７の両側を囲んでいる。そのため毛束１１の弾性による復元力により、筒部１９と毛束とが圧接していて、筒部１９は毛束１１に強固に固着されている。
【００１５】
本実施形態の筒部１９は、円筒でも使用可能であるが、好ましくは複数の外面１９ａを有する略多角形筒を有し、この実施形態では、図５に示すように略六角形の筒に形成されている。
図２及び図３に示すように、この筒部１９は結束部１７の近傍に配置されて、折り曲げられた毛束１１を取り囲んで外側から加圧している。この筒部１９は、毛束１１の弾性に抗して両側を囲むことで毛束１１を圧接することに加え、略多角形筒形状の互いに対向位置に配置される圧縮部１９ｂが形成されていることにより外面間が圧縮される。これにより毛束１１がより内側に付勢された状態となっている。
【００１６】
図６は筒部１９を被嵌するホルダ１５を示す断面図である。このホルダ１５は、図１及び図６に示すように、軸方向の一端側に筒部１９を固定して支持する支持部２１を有し、他端側に各種の装置に設けられた駆動部に着脱可能に連結するための駆動連結部２３を有している。
【００１７】
ホルダ１５の支持部２１は、駆動連結部２３が一体に連結された略円板乃至円柱形状の基部２５と、基部２５から軸方向に突設した複数の固定部２７と、を有している。
各固定部２７は図６に示すように、円弧形状で軸方向に延びる片により構成されている。複数の固定部２７の内側の空間が、ブラシヘッド１３の筒部１９を収容可能な大きさに形成されている。また複数の固定部２７の軸方向の長さが、ブラシヘッド１３の結束部１７で締結されて折り曲げられた部位及び筒部１９を収容可能な長さに形成されている。
【００１８】
複数の固定部２７は、それぞれ多角形筒の筒部１９の外面１９ａを固定するように構成されている。この実施形態では、略六角形の筒部１９の一つ置きの外面１９ａに当接してこれらの外面を被嵌するように、３箇所の固定部２７が突設されており、各固定部２７には固定ビス２９が装着され、筒部１９の各外面に設けられた凹部１９ｃに各固定部２７の固定ビス２９が係止されるようになっている。
【００１９】
このような筒型ブラシ１０を使用するには、まずホルダ１５の支持部２１にブラシヘッド１３を支持させる。このときブラシヘッド１３の折り返し部、即ち、毛束１１が結束部１７で締結されて折り曲げられ筒部１９で囲まれた部位を、ホルダ１５の支持部２１における複数の固定部２７の内側に収容する。各固定部２７と、各固定部２７の外面１９ａを対向する固定部２７に固定する。例えば各固定部２７の固定ビス２９により、ブラシヘッド１３の筒部１９の凹部１９ｃを内向きに加圧することで固定する。
【００２０】
このようにホルダ１５にブラシヘッド１３を支持させた後、ホルダ１５の駆動連結部２３を図示しない各種のブラシ装置に設けられた駆動部に連結する。
そして駆動部により筒型ブラシ１０を例えば回転駆動し、ブラシヘッド１３の毛束１１の両端側を、被加工部に接触させることで、ブラシ加工を行う。
【００２１】
そして、ブラシヘッド１３の毛束１１が摩耗や折れ等により劣化したら、筒型ブラシ１０の駆動連結部２３を駆動部から離脱させる。そして、ホルダ１５の各固定部２７の固定ビス２９を緩めて、ブラシヘッド１３の筒部１９をホルダ１５の支持部２１から抜き取ることで、ホルダ１５からブラシヘッド１３を取り外す。
その後、別のブラシヘッド１３を上記と同様にしてホルダ１５に支持させることで、ブラシヘッド１３を交換し、ホルダ１５の駆動連結部２３をブラシ装置の駆動部に連結することでブラシ加工を繰り返し行う。
【００２２】
以上のような筒型ブラシ１０によれば、ブラシヘッド１３が着脱可能にホルダ１５に支持されているので、ブラシヘッド１３の毛束１１が劣化した際、ホルダ１５からブラシヘッド１３を取外すことができる。そのためホルダ１５を交換することなく、ブラシヘッド１３のみを交換できる。
【００２３】
その際、毛束１１が中間位置で結束部１７により結束され、さらに結束部１７の両側で筒部１９により外側から囲んで固定されているので、毛束１１の個々の毛材１１ａが抜け落ちることを確実に防止できる。しかもその筒部１９をホルダ１５の支持部２１により固定して支持するように構成されているので、毛束１１をホルダ１５に直接固定しなくても、毛束１１をしっかりとホルダ１５に装着することができ、ホルダ１５を駆動することで安定したブラシ加工を実現できる。
そのため毛束１１が劣化したときにホルダ１５を交換せずに毛束１１を交換できるとともにブラシ加工を長期間安定して行うことが可能である。
【００２４】
本実施形態の筒型ブラシ１０では、筒部１９が毛束１１の弾性に抗して両側を囲むことで毛束１１に固着されているので、毛束１１に対して筒部１９を強固に固定できる。そのため筒部１９をホルダ１５に支持するだけで、毛束１１をホルダ１５に直接固定させたり支持させたりしなくても、ホルダ１５に毛束１１を安定して強固に支持させることが可能である。
【００２５】
しかも毛束１１の弾性に抗して周囲を囲むことで筒部１９が毛束１１に固着されていれば、筒部１９と毛束１１とを固定するための構造が不要であり、ブラシヘッド１３の構成を簡素化できる。
またホルダに毛束を各種の固定手段を用いて強固に固定された従来の筒ブラシに比べて容易に製造することが可能である。
【００２６】
本実施形態の筒型ブラシ１０では、筒部１９が複数の外面１９ａを有するよう多角形に形成され、ホルダ１５が筒部１９の複数の外面１９ａをそれぞれ固定する複数の固定部２７を有しているので、ホルダ１５にブラシヘッド１３を強固に固定して支持させることができる。
しかも毛束１１が筒部１９に固定されることでブラシヘッド１３をホルダ１５に固定できれば、毛束１１の条件や形状などがホルダ１５により何ら制限されることがなく、筒型ブラシ１０に支持させる毛束１１の選択の自由度を高くできる。
【００２７】
なお、上記実施の形態は本発明の範囲内において適宜変更可能である。
例えば上記実施形態では、ブラシヘッド１３が１束の毛束でなるものを例示したが、複数の毛束を用いることも可能である。
上記では筒部１９として断面形状が六角形の角筒を用いたが、断面形状が三角形、四角形等の他の形状であっても使用可能である。
また上記では、筒部１９の圧縮部１９ｂを固定ビス２９で固定するための凹部１９ｃとして利用した例について説明したが、それぞれを別々に設けることも可能である。
【符号の説明】
【００２８】
１０  筒型ブラシ
１１ａ  毛材
１１  毛束
１１α  一端部
１１β  他端部
１３  ブラシヘッド
１５  ホルダ
１７  結束部
１９  筒部
１９ａ  外面
１９ｂ  圧縮部
１９ｃ  凹部
２１  支持部
２３  駆動連結部
２５  基部
２７  固定部
２９  固定ビス
【図１】
2019136371.tif 000003
【図２】
2019136371.tif 000004
【図３】
2019136371.tif 000005
【図４】
2019136371.tif 000006
【図５】
2019136371.tif 000007
【図６】
2019136371.tif 000008
【図７】
2019136371.tif 000009